(57)【要約】【課題】情報記録媒体が表面平滑性の悪い基材を用いた場合でも、基材の影響を受けずに、情報認証が確実に行うことができる情報認証方法、装置、及び情報記録媒体を提供する。【解決手段】照明ステップＳ１、光学ステップＳ２、撮像ステップＳ３、変換ステップＳ４、及び処理ステップＳ５を設ける。そして、情報記録媒体上の情報記録部と情報記録背景部から構成される情報記録領域の光強度分布、すなわち、情報記録部からの正反射光強度と情報記録背景部からの正反射光強度の強度差を得ることで、情報パターンとしての記録情報を取得し、情報認証を確実に行えるようにした。特に、情報記録媒体の基材の表面平滑性が悪い場合などでも、基材の影響を受けずに、情報認証を確実に行える。【選択図】図１
2008065410.tif 000002
【特許請求の範囲】
【請求項１】
基材上の光反射層に情報記録部及び情報記録背景部から構成される情報記録領域を設けた情報記録媒体の認証を行う情報認証方法であって、
前記情報記録媒体に照明光を照射する照明ステップと、
前記情報記録領域からの反射光のうち略正反射光成分を抽出する光学ステップと、
前記光学ステップによって抽出した正反射光を受光して前記情報記録領域を撮像する撮像ステップと、
撮像した情報記録領域の光強度分布を情報パターンとして電気信号に変換し、前記情報記録領域が保持する記録情報を取得する変換ステップと、
前記記録情報を所定の規則に従ってデコードする処理ステップと、
を有することを特徴とする情報認証方法。
【請求項２】
前記情報記録領域の光強度分布は、前記情報記録部の光強度と前記情報記録背景部の光強度の強度差から成り、前記強度差が情報パターンを成すことを特徴とする請求項１記載の情報認証方法。
【請求項３】
基材上の光反射層に情報記録部及び情報記録背景部から構成される情報記録領域を設けた情報記録媒体の認証を行う情報認証装置であって、
前記情報記録媒体に照明光を照射する照明手段と、
前記情報記録領域からの反射光のうち略正反射光成分を抽出する光学手段と、
前記光学手段によって抽出した正反射光を受光して前記情報記録領域を撮像する撮像手段と、
撮像した情報記録領域の光強度分布を情報パターンとして電気信号に変換し、前記情報記録領域が保持する記録情報を取得する変換手段と、
前記記録情報を所定の規則に従ってデコードする処理手段と、
を有することを特徴とする情報認証装置。
【請求項４】
前記情報記録領域の光強度分布は、前記情報記録部の光強度と前記情報記録背景部の光強度の強度差から成り、前記強度差が情報パターンを成すことを特徴とする請求項３記載の情報認証装置。
【請求項５】
前記照明手段は所定の面積を有する拡散光源を有することを特徴とする請求項３記載の情報認証装置。
【請求項６】
前記光学手段は多数のセル群からなる情報記録部と多数の回折格子セル群からなる情報記録背景部の反射光のうち略正反射光成分を抽出することを特徴とする請求項３記載の情報認証装置。
【請求項７】
基材上の光反射層に情報記録部及び情報記録背景部から構成される情報記録領域を設けた情報記録媒体であって、
前記情報記録背景部には、光吸収素子または／及び光散乱素子または／及び回折格子素子を有する光学素子が配置されていることを特徴とする情報記録媒体。
【請求項８】
前記基材は、紙または布または皮または木等の粗面からなることを特徴とする請求項７記載の情報記録媒体。
【請求項９】
前記光散乱素子は光散乱要素の凹凸形状を含むことを特徴とする請求項７または８記載の情報記録媒体。
【発明の詳細な説明】
【技術分野】
【０００１】
本発明は、肉眼では認知することができない記録情報を保持する情報記録部と情報記録背景部とからなる情報記録領域を光反射層上に設けた情報記録媒体と、情報記録媒体の認証を行う情報認証方法及び情報認証装置に関する。
【背景技術】
【０００２】
従来から、平面状の基材上に、複数個の格子縞を有する回折格子セルから形成されている情報記録媒体が多く使用されてきている。
回折格子パターンを有する情報記録媒体としては、例えば電子ビーム露光装置を用いて、コンピュータ制御により、平面状の基板が載置されたＸＹステージを移動させ、基板の表面に微小な回折格子要素の複数個を絵柄状に記録・配置することにより得られる所定絵柄の回折格子パターンが形成された情報記録媒体も提案されている（例えば、特許文献１参照）。
また、このような回折格子を有する情報記録媒体の真贋を判定する方法としては、例えば、微小回折格子要素（ドット）の配列中に記録してあるパターン情報部分へレーザー光等を照射して回折光を発生させ、その回折光をセンサーで受光し、回折光情報に基づいて判定を行う方法が採用されている（例えば、特許文献２参照）。
【特許文献１】米国特許第５０５８９９２号公報
【特許文献２】特開平５−５０７８８号公報
【発明の開示】
【発明が解決しようとする課題】
【０００３】
しかしながら、上述のようにして得られる回折格子を有する情報記録媒体は、特定の領域に情報を記録していることから、拡大鏡などの観察装置で容易に情報を記録している領域を発見することができ、レーザー光を照射する角度さえ分かってしまえば、その情報を基に模造品を作製することも可能となってしまう。
また、このような方法で真贋判定を行う場合、判定対象となる情報記録媒体の回折格子パターンが転写箔を利用した転写によって紙上に形成されたような場合には、転写する紙の平滑性の影響を大きく受けてしまう。すなわち、転写箔が紙表面の凹凸に沿って曲げられるため、転写箔における回折格子の凹凸状態やパターンが忠実に紙上に転写・再現されず、延いては、判定時に正しい再生像を得ることができなくなってしまい、情報を明確に判定することが困難となっていた。
【０００４】
一方、基板表面に反射型回折格子を設けてこの回折格子に情報を記録・保持させ、特定の光源からの照明光に応答して発生した反射回折光の方向で前記記録情報を再現する情報記録媒体は知られている。
このような情報記録媒体は、転写技術を利用して製造されているものが多く、これらの情報記録媒体はＩＤカード、パスポートや製品認証等の真正証明に利用されている。しかしながら、反射回折光の回折方向は、回折格子の方向と空間周波数、並びに、再生用光線の波長と照射方向によって決まるため、記録情報を再現する光源と回折光を受光するセンサー等の位置関係が分かってしまうと、これらを基に報記録媒体を簡単に偽造することが可能となってしまう。
【０００５】
本発明は、上記のような問題点に鑑みてなされたものであり、情報記録媒体の基材の表面平滑性が悪い場合などでも、基材の影響を受けずに情報認証が確実に行うことができる情報認証方法、情報認証装置、及び情報記録媒体を提供することを目的とする。
【課題を解決するための手段】
【０００６】
上述の目的を達成するため、本発明の情報認証方法は、基材上の光反射層に情報記録部及び情報記録背景部から構成される情報記録領域を設けた情報記録媒体の認証を行う情報認証方法であって、前記情報記録媒体に照明光を照射する照明ステップと、前記情報記録領域からの反射光のうち略正反射光成分を抽出する光学ステップと、前記光学ステップによって抽出した正反射光を受光して前記情報記録領域を撮像する撮像ステップと、撮像した情報記録領域の光強度分布を情報パターンとして電気信号に変換し、前記情報記録領域が保持する記録情報を取得する変換ステップと、前記記録情報を所定の規則に従ってデコードする処理ステップとを有することを特徴とする。なお、前記情報記録領域の光強度分布は、前記情報記録部の光強度と前記情報記録背景部の光強度の強度差から成り、前記強度差が情報パターンを成すことを特徴とする。
【０００７】
また本発明の情報認証装置は、基材上の光反射層に情報記録部及び情報記録背景部から構成される情報記録領域を設けた情報記録媒体の認証を行う情報認証装置であって、前記情報記録媒体に照明光を照射する照明手段と、前記情報記録領域からの反射光のうち略正反射光成分を抽出する光学手段と、前記光学手段によって抽出した正反射光を受光して前記情報記録領域を撮像する撮像手段と、撮像した情報記録領域の光強度分布を情報パターンとして電気信号に変換し、前記情報記録領域が保持する記録情報を取得する変換手段と、前記記録情報を所定の規則に従ってデコードする処理手段とを有することを特徴とする。なお、前記情報記録領域の光強度分布は、前記情報記録部の光強度と前記情報記録背景部の光強度の強度差から成り、前記強度差が情報パターンを成すことを特徴とする。また、前記照明手段は所定の面積を有する拡散光源を有することを特徴とする。また、前記光学手段は多数のセル群からなる情報記録部と多数の回折格子セル群からなる情報記録背景部の反射光のうち略正反射光成分を抽出することを特徴とする。
【０００８】
また本発明は、情報記録媒体は、基材上の光反射層に情報記録部及び情報記録背景部から構成される情報記録領域を設けた情報記録媒体であって、前記情報記録背景部には、光吸収素子または／及び光散乱素子または／及び回折格子素子を有する光学素子が配置されていることを特徴とする。なお、前記基材は、紙または布または皮または木等の粗面からなることを特徴とする。また、前記光散乱素子は光散乱要素の凹凸形状を含むことを特徴とする。
【発明の効果】
【０００９】
本発明の情報認証方法、及び情報認証装置によれば、情報記録媒体の肉眼では認知することができない記録情報を認証する際に、情報記録領域の光強度分布（例えば情報記録部からの正反射光強度と情報記録背景部からの正反射光強度の強度差）を得ることで、情報パターンとしての記録情報を取得するため、確実な情報認証が可能であり、特に、情報記録媒体の基材の表面平滑性が悪い場合などでも、基材の影響を受けずに確実な情報認証を行うことができる。
また本発明の情報記録媒体によれば、情報記録背景部に、光吸収素子または／及び光散乱素子または／及び回折格子素子を有する光学素子を配置したことにより、上述した情報記録領域の光強度分布から情報パターンとしての記録情報を取得する情報認証方法、及び情報認証装置に適した情報記録媒体を提供することができ、確実な情報認証に寄与できる。
【発明を実施するための最良の形態】
【００１０】
本発明の実施の形態では、情報記録媒体上の情報記録部と情報記録背景部から構成される情報記録領域の光強度分布、すなわち、情報記録部からの正反射光強度と情報記録背景部からの正反射光強度の強度差を得ることで、情報パターンとしての記録情報を取得し、情報認証を確実に行えるようにしたものであり、特に、情報記録媒体の基材の表面平滑性が悪い場合などでも、基材の影響を受けずに、情報認証を確実に行えるものである。
【００１１】
以下、本発明の実施の形態を図面を参照しながら詳細に説明する。
図１は本発明の実施の形態による情報認証方法の概念を説明するためのフローチャートである。
図示のように、本例の情報認証方法は、照明ステップＳ１、光学ステップＳ２、撮像ステップＳ３、変換ステップＳ４、及び処理ステップＳ５から構成される。本例で用いる情報記録媒体は、紙または布または皮または木等の粗面からなる基材上の光反射層を設け、この光反射層に、多数のセル群からなる情報記録部及び多数の回折格子セル群からなる情報記録背景部から構成される情報記録領域を設けたものである。そして、情報記録背景部には、光吸収素子または／及び光散乱素子または／及び回折格子素子を有する光学素子が配置されている。また、光散乱素子は光散乱要素の凹凸形状を含むものである。
【００１２】
また、図１において、照明ステップＳ１は、所定の面積を有する拡散光源によって情報記録媒体に照明光を照射するステップである。また、光学ステップＳ２は、情報記録領域からの反射光のうち略正反射光成分を抽出するステップである。また、撮像ステップＳ３は、光学ステップＳ２によって抽出した正反射光を受光して情報記録領域を撮像するステップである。
また、変換ステップＳ４は、撮像した情報記録領域の光強度分布を情報パターンとして電気信号に変換し、情報記録領域が保持する記録情報を取得するステップである。ここで、情報記録領域の光強度分布は、情報記録部の光強度と情報記録背景部の光強度の強度差から成り、この強度差が情報パターンを成すようにしたものである。また、処理ステップＳ５は、変換ステップＳ４によって取得した記録情報を所定の規則に従ってデコードするステップである。
【００１３】
図２は本実施の形態による情報認証方法の概念を説明するための説明図である。
図２において、情報記録領域２は情報記録媒体１の基材上に設けられた光反射層に設けられており、情報記録部３と情報記録背景部４を有する。
そして、所定の角度から１つあるいは複数個の拡散光源照明５（電源５ａ）からの照明光６が照射されたときの情報記録領域２からの反射光７が光学手段８を通過する。ここで、光学手段８を通過する際に、正反射光９のみが抽出され、正反射光９のみが撮像手段１０で受光される。そして、受光した正反射光を変換手段１１で情報記録領域が保持する秘匿情報として電気信号に変化し、処理手段１２へ送られる。
処理手段１２では、記録情報を所定の規則に従ってデコードし、情報記録領域が保持する記録情報の判定を行う。
【００１４】
図３は図１及び図２に示した情報認証方法を適用した情報認証装置の概略を説明するための説明図であり、基本的には図２に示す内容と共通している。
すなわち、図３に示す装置において、情報記録領域２２は情報記録媒体２１の基材上に設けられた光反射層に設けられており、情報記録部２３と情報記録背景部２４を有する。
そして、所定の角度から１つあるいは複数個の拡散光源照明２５（電源２５ａ）からの照明光２６が照射されたときの情報記録領域２２からの反射光２７が光学手段２８を通過する。光学手段２８を通過する際に、正反射光２９のみが抽出され、正反射光２９のみが、カメラ３０ａとレンズ３０ｂから構成される撮像手段３０で受光される。
そして、受光した正反射光を変換手段３１で情報記録領域が保持する記録情報として電気信号に変化し、処理手段３２へ送られる。処理手段３２では秘匿情報を所定の規則に従ってデコードし、情報記録領域が保持する記録情報の判定を行う。
【図面の簡単な説明】
【００１５】
【図１】本発明の実施の形態による情報認証方法の概念を説明するフローチャートである。
【図２】本発明の実施の形態による情報認証方法の概略を説明する説明図である。
【図３】本発明の実施の形態による情報認証装置の概略を説明する説明図である。
【符号の説明】
【００１６】
Ｓ１……照明ステップ、Ｓ２……光学ステップ、Ｓ３……撮像ステップ、Ｓ４……変換ステップ、Ｓ５……処理ステップ、１、２１……情報記録媒体、２、２２……情報記録領域、３、２３……情報記録部、４、２４……情報記録背景部、５、２５……拡散光源照明、６、２６……照明光、７、２７……反射光、８、２８……光学手段、９、２９……正反射光、１０、３０……撮像手段、１１、３１……変換手段、１２、３２……処理手段。
【図１】
2008065410.tif 000003
【図２】
2008065410.tif 000004
【図３】
2008065410.tif 000005